(57)【要約】      （修正有） 【課題】簡単な構造で使い勝手のよい展示品吊り下げ具を提供する。【解決手段】展示板３にフック板２１を取り付けるための取付構造５を、折り起こし片と、開口部と、縦長スリットと、を含めて構成する。折り起こし片を折り起こした跡に開口部が開口するように構成されている。フック板のフック基部は、当該縦長スリットに圧入し押圧することで当該折り起こし片を折り起こさせ、当該縦長スリットの上部及び当該縦長スリットの上部と連通した当該開口部を抜けて当該展示板裏側に突出可能に構成されている。突出させた当該フック基部を押し下げることにより、当該展示板に固定されるようになっている。簡単な操作でフック板を展示板に取り付けることができるので、たいへん使い勝手がよい。【選択図】図１
0003233522.tif 000002
【実用新案登録請求の範囲】
【請求項１】
１または複数の取付構造を有する厚紙の展示板と、当該取付構造により当該展示板に取り外し可能に取り付けられた展示品吊り下げ用のフック板とを含めて構成された展示品吊り下げ具であって、
当該取付構造は、折り起こし片と、開口部と、縦長スリットと、を含めて構成され、
当該折り起こし片は、ほぼ水平に延びる上端辺に沿って当該展示板の正面視裏側に折り起こし可能、かつ、折り起こし跡に当該開口部が開口するように構成され、
当該縦長スリットは、当該折り起こし片の途中から始まり上方に延びて当該上端辺の上の位置で終わるように形成され、
当該フック板は、当該取付構造と取付関係を形成するフック基部と、展示品を吊り下げるためにフック基部から延びるフック部を含めて一体構成され、
当該フック基部は、当該縦長スリットに圧入し押圧することで当該折り起こし片を折り起こさせ、当該縦長スリットの上部及び当該縦長スリットの上部と連通した当該開口部を抜けて当該展示板裏側に突出可能に構成され、
当該フック基部の下端側には、当該展示板裏側に突出後に押し下げることにより、当該開口部の下端を画定する開口部下端縁を嵌め込み結合するための下向き欠き込みが形成され、
当該フック基部が、当該開口部下端縁に嵌め込み結合され、かつ、当該縦長スリットの両側を画定する両側縁によって左右挟持されることで当該展示板に固定されてなる、
ことを特徴とする展示品吊り下げ具。
【請求項２】
前記縦長スリットの延長線上における前記開口部下端縁には、前記開口部と連通する上向き欠き込みが形成され、
当該上向き欠き込みと前記下向き欠き込みとが、前記フック基部の押し下げに伴う十字相欠き継ぎされてなる、
ことを特徴とする請求項１記載の展示品吊り下げ具。
【請求項３】
前記フック基部の上端側には、前記フック基部の押し下げに伴い前記縦長スリットの上端側に嵌まり込む段部が設けられてなる、
ことを特徴とする請求項１又は２記載の展示品吊り下げ具。
【考案の詳細な説明】
【技術分野】
【０００１】
この考案は、ボード、ディスプレイ板、段ボール板等の厚紙展示板に展示品吊り下げ用のフック板を取付け、商品を代表とする展示品を吊り下げ展示する展示品吊り下げ具に関する。
【背景技術】
【０００２】
１または複数の縦方向に延びる長孔を有する取付用台紙板と、前記長孔に着脱可能に装着される１または複数の板紙製商品吊下具とからなる商品展示用具が知られている。この板紙製商品吊下具は折り合わせた板紙2枚から構成され、両者閉じた状態で長孔を通過させ、通過後に折り合わせの復帰力により開いて抜け止めと固定とがなされるようになっている（特許文献１の吊り下げ具）。
【０００３】
また、特許文献１の長孔に類似する長孔内に側方から押圧突起が付きだすことにより、長孔に挿入された厚紙製のフックの基端部を押圧して固定補助されるようになっている（特許文献２の吊り下げ具）。
【先行技術文献】
【特許文献】
【０００４】
【特許文献１】実用新案登録第３１６１３８６号公報
【特許文献２】特許第６５５７０８８号公報
【考案の概要】
【考案が解決しようとする課題】
【０００５】
特許文献１の吊り下げ具は、その商品吊り下げ具は、閉じた状態で長孔を通過した板紙２枚が折り合わせの復帰力により開くようになっているが、取付用台紙板との接触摩擦により、完全自動で復帰させることができない恐れがある。その場合は、取付用台紙板の裏側に手を回して商品吊り下げ具を開かせなければならない、ことが予想される。構造が複雑な割には使い勝手がよくないという問題点がある。
【０００６】
特許文献２の吊り下げ具は、押圧突起が突出するフックの基端部を押し入れる際に基端部を変形させることになっているが、商品吊り下げに十分な強度・厚みを持ったフックの基端部を変形させることは必ずしも容易ではない。強く押せば押圧突起を変形させてしまう恐れがあるの慎重な作業が求められる点で使い勝手に問題点がある。
【課題を解決するための手段】
【０００７】
上記問題点を解消するのが本考案の課題であり、以下が課題を解決するための手段である。
【０００８】
（請求項１の考案の特徴）
１または複数の取付構造を有する厚紙の展示板と、当該取付構造により当該展示板に取り外し可能に取り付けられた展示品吊り下げ用のフック板とを含めて構成された展示品吊り下げ具である。当該取付構造は、折り起こし片と、開口部と、縦長スリットと、を含めて構成されてなる。当該折り起こし片は、ほぼ水平に延びる上端辺に沿って当該展示板の正面視裏側に折り起こし可能、かつ、折り起こし跡に当該開口部が開口するように構成されてなる。当該縦長スリットは、当該折り起こし片の途中から始まり上方に延びて当該上端辺の上の位置で終わるように形成されてなる。当該フック板は、当該取付構造と取付関係を形成するフック基部と、展示品を吊り下げるためにフック基部から延びるフック部を含めて一体構成されてなる。当該フック基部は、当該縦長スリットに圧入し押圧することで当該折り起こし片を折り起こさせ、当該縦長スリットの上部及び当該縦長スリットの上部と連通した当該開口部を抜けて当該展示板裏側に突出可能に構成されてなる。当該フック基部の下端側には、当該展示板裏側に突出後に押し下げることにより、当該開口部の下端を画定する開口部下端縁を嵌め込み結合するための下向き欠き込みが形成され、当該フック基部が、当該開口部下端縁に嵌め込み結合され、かつ、当該縦長スリットの両側を画定する両側縁によって左右挟持されることで当該展示板に固定されてなる
【０００９】
（請求項２の考案の特徴）
請求項１の考案の好ましい態様として、次の特徴がある。前記縦長スリットの延長線上における前記開口部下端縁には、前記開口部と連通する上向き欠き込みが形成されてなる。当該上向き欠き込みと前記下向き欠き込みとが、前記フック基部の押し下げに伴う十字相欠き継ぎされてなる。
【００１０】
（請求項３の考案の特徴）
請求項１又は２の好ましい態様として、次の特徴がある。前記フック基部の上端側には、前記フック基部の押し下げに伴い前記縦長スリットの上端側に嵌まり込む段部が設けられてなる。
【考案の効果】
【００１１】
本考案によれば、フック部を持ちフック基部を縦長スリットに圧入し押圧して折り起こし片を折り起こさせ展示板裏板に突出させた後、押し下げて下向き欠き込みを開口部下端縁に嵌め込み結合させるだけで展示品吊り下げ具が完成する。圧入押圧とそれに続く押し下げという単純かつ連続する動作だけで完成させることができ、また、厚紙製の展示板の弾性を利用した取り外しも簡単であるから、たいへん使い勝手がよい（請求項１）。
【００１２】
また、下向き欠き込みと上向き欠き込みを十字相欠き継ぎすることで、フック基部、さらにはフック板全体を、より安定して展示板に取り付けることができる（請求項２）。
【００１３】
さらに、段部が縦長スリットの上端側に嵌まり込むことで、より安定度を高めることができる（請求項３）。
【図面の簡単な説明】
【００１４】
【図１】展示品吊り下げ具の正面斜視図である。
【図２】展示品吊り下げ具の背面斜視図である。
【図３】展示品吊り下げ具（展示板）正面図（ａ）と、である。
【図４】取付構造の拡大図である。
【図５】展示品吊り下げ具の上面図である。
【図６】展示品吊り下げ具の左側面図である。
【図７】フック板の拡大左側面図である。
【図８】フック板を展示板に取り付ける手順を示す左側面図である。
【図９】図８に示す取付構造の正面図である。
【図１０】フック板を展示板に取り付ける手順を左側から示す部分断面図である。
【考案を実施するための形態】
【００１５】
図面に基づいて本考案を実施するための形態（以下、「本実施形態」という）について説明する。本実施形態では、図３に示す状態を正面視の状態といい、これを基準に左右上下表裏の方向を定義する。なお、以下、展示品吊り下げ具のことを、単に「吊り下げ具」と呼ぶ。さらに、以下では具体的な寸法や形状を示すが、これは読者が吊り下げ具１の大きさ感を含むイメージを掴みやすくするためのものであって、その値や形状に限定されるものではない。いずれの寸法や形状も、本考案の目的から外れない限り、適宜変更して設計することができる。
【００１６】
（吊り下げ具の全体構造）
図１乃至３が示すように、吊り下げ具１は、展示板３とフック板２１とを主要部材とする。展示板３は、互いに同じ構造の取付構造５を二つ（１でもよいし、３以上でもよい、上下複数の列を複数としてもよい）有している。取付構造５は、フック板２１と協働してフック板２１全体を展示板１１に取り付けつけるためのものである。
【００１７】
（展示板の構造）
ひき続き、図１乃至３を参照する。展示板３は、厚紙を型抜き加工して縦長四角形に形成されている。展示品の大きさや展示場所の違いによって様々な寸法を設定できるが、本実施形態の展示板３の概略寸法は、縦５００ｍｍ横１００ｍｍである。展示品の重さに耐える剛性が十分であるなら設ける必要はないが、反り返り防止のため展示板１の裏面両側それぞれには、展示板３のそれと同じ縦寸法で横幅3分の１弱の幅寸法の裏板３ａ，３ａが接着層（図示を省略）を介して貼り付けられている（図２）。裏板３ａの幅寸法は、上記以外でもよいが、取付構造５の機能を害するものであってはならない。裏板３ａ，３ａそれぞれの上端の近くには、紐孔３ｈ，３ｈが貫通しており、そこに通した吊り紐Ｓを使って吊り下げ具１を展示品Ｉ（図１、２）とともに、図外の壁や展示什器などに吊り下げることができる。なお、見やすくするため、図１、２以外の図面では吊り紐Sを省略する。
【００１８】
展示板３の材質は、展示品吊り下げに耐える十分な剛性があり極端に加工しづらくないものであれば特に限定はない。たとえば合成樹脂板を用いることもできるが、環境負荷を軽減するなどの目的のため本実施形態では、複数枚の紙を接着剤で張り合わせ積層して１枚の厚紙に仕上げた合紙を用いている。付け加えると、表裏の一番外になる紙は、光沢のある光沢紙になっている。展示品を引き立てて見栄えをよくするためである。光沢紙の採用は使用者の好みであるから、採用しないでもよい。展示板３の表面は展示品Ｉによって隠れる部分が多いが、これを表示部と捉え、その表面に、たとえば、展示品Ｉが吊り下げられる場所にその絵を印刷しておくこともできる。展示品Ｉが売れて展示板３の表面が露出したとしても、そこに絵があれば、品切れ感が薄れ広告媒体として機能させることができるからである。
【００１９】
本実施形態の展示板３は、上述のように縦長四角形としたが、装飾的な効果を足すための別の形、たとえば、縦長楕円形や縦長ひし形としてもよい。また、展示板３の角部に丸みを設けたり、切り欠きや打ち抜き孔などを形成したりすることも妨げない。いずれの場合にあっても、吊り下げ具としての強度を保つことが前提であることは言うまでもない。
【００２０】
（取付構造の詳細構造）
図１乃至７を参照する。取付構造５は、フック板２１と協働してフック板２１全体を展示板３に取り付けつけるためのものであることは、前述の通りである。取付構造５は、折り起こし片７と、開口部９と、縦長スリット１１と、さらに好ましくは上向き欠き込み９ａを含めて構成されている。本実施形態の取付構造５は二つであるが、それらは互いに同じ構造であるため、以下の説明は一方の取付構造５についてのみ行う。
【００２１】
（折り起こし片の構造）
図３、４及び９を参照する。折り起こし片７は、ほぼ水平に延びる上端辺７ａを弦とするほぼ半円の形をしていて、一番下の部位から下方に突き出す小さな突起（下向き突起７ｂ）を有している。上端辺７ａの長さ寸法は任意であるが本実施形態では、２０ｍｍに設定した。下向き突起７ｂは、その長さ寸法は３ｍｍ前後、幅寸法も３ｍｍ前後に設定してあり、後述するフック板２１の下向き欠き込みと十字相欠き継ぎするためのものである。下向き突起７ｂは、不要と考えるなら省略することができる。
【００２２】
折り起こし片７をほぼ半円形状に形成した理由は、そのデザイン性と折り起こしの容易性にあるが、折り起こし片の目的を達成できるなら形状に制限はない。折り起こし片７は、上端辺７ａを除き、すなわち弧に当たる部位及び下向き突起７ｂは、展示板３から完全に型抜き分離してある。一方、この型抜きの際に上端辺７ａの部位だけはハーフカットして裏面側の積層された紙の一部を残してある。これにより、残された紙がヒンジのように機能して折り起こし片７を展示板３に対し、落下することなく裏側へ折り起こし（揺動）が可能になる。折り起こした後の展示板３には、折り起こし片７の跡が開口部９として開口する（図９）。
【００２３】
ハーフカットの代わりに上端辺７ａを含めてフルカットすることで折り起こし片７を完全分離してもよい。完全分離した場合は、開口部９に嵌め込んだ状態の折り起こし片７を、上端辺７ａを挟んで展示板３とともに裏側から柔軟な粘着テープなど（図示せず）を貼ることで展示板３に対し揺動可能・離脱不能に構成してもよい。
【００２４】
（開口部の構造）
上述のように、開口部３は折り起こし片７が折り起こされた跡に形成される開口である。よって、図９がもっとも端的に示すようにその全体形状は、折り起こし片７のそれと相似のほぼ半円形になる。開口部９は、それを囲む縁によって画定され、好ましい態様として、開口部の弧の一番下の部位である下端縁９ａには、開口部９に連通するほぼU字状の上向き欠き込み９ａが形成されている。上向き欠き込み９ａの深さ寸法は３ｍｍ前後、幅寸法も３ｍｍ前後に設定した。
【００２５】
（縦長スリットの構造）
縦長スリット１１は、折り起こし片７の左右ほぼ中央にあり、その途中から始まり上方に延びて上端辺７ａの上の位置で終わるように形成されている（図４，９）。より具体的には、スリット１１は、その下端部位４分の３が折り起こし片７の中に、残り４分の１の部位（上端部位１１ａ）が展示板３の中に形成されている。この構成により、折り起こし片７の折り起こしにより、スリット１１のした４分の３の部位が折り起こし片７と一緒に展示板３の裏側方向に移動し、残り４分の１となる上端部位１１ａは展示板３に残ることになる（図８、９）。縦長スリット１１の幅寸法は、縦１０ｍｍ横３ｍｍ前後に設定した。したがって、下向き突起７ｂの横寸法も、前述のとおり３ｍｍ前後となる。なお、縦長スリット１１と下向き突起７ｂとの位置関係は、両者の軸中心（図示せず）が一致していて、縦長スリット１１の下方延長線上に下向き突起７ｂが位置している。
【００２６】
（フック板の構造）
図３，６及び７を中心に参照する。まず、材質であるが、フック板２１は、合成樹脂やアルミニウムなどの金属を素材とすることもできるが、本実施形態では、適切な剛性をもった厚さ３ｍｍ前後の厚紙を採用した。紙製であれば、同じく紙製の展示板３とともに廃棄（場合によってはリサイクル）できるので、環境に対する負荷が小さくて済むからである。本実施形態のフック板２１は、バルカナイズドファイバーという化学処理した硬質耐水性の紙または板紙を積層圧着させて乾燥した紙を使用し、これを型抜きして作ったものである。次に、フック板２１の構造を説明する。
【００２７】
フック板２１は、展示板３の取付構造５と取付関係を形成するフック基部２３と、展示品Ｉ（図１）を吊り下げるためにフック基部２３から横方向に延びるフック部２５を含めて一体構成された板状部材である。説明の都合上、フック部２５を先に説明する。フック部２５は、幅７ｍｍ前後のほぼ平行な細長板２５ａと細長板２５ａの先端から上方屈曲した先端傾げ部を有している。細長板部２５ａは展示品Ｉが吊り下げられる部位であり、先端傾げ部２５ｂは展示品Ｉのずれ落ちを防ぐ部位である。
【００２８】
細長板部２５ａの基端部（先端傾げ部２５ｂと反対側の端部）は、角が丸みを帯びたほぼ台形形状の裏当て部２５ａと、台形形状の下底に当たる部位とＴ字交差している。裏当て部２５ａの下底に当たる部位の寸法は２５ｍｍ前後、上底に当たる部位の寸法は18ｍｍ前後、さらに、上底と下底との間の距離は８ｍｍ前後に設定した。裏当て部２５ａは、フック板２１を取り付けたときに、そのほとんどが展示板３の裏側に当たる部位である。裏当て部２５ａの下底側上端角部が小さく矩形に切り欠かれ、これにより、下底側に段部２３ｂが形成されている。段部２３ｂは、縦長スリット１１の上端辺７ａより上の部位に嵌まり込む。段部２３ｂの厚みも縦長スリット１１の幅寸法もほぼ同じ寸法（3ｍｍ前後）であるから、両者は軽い圧入によって嵌まり込み可能になっている。
【００２９】
図７に示す符号２３ｃは、フック部２５の下端延長線から突き出す表当て部である。表当て部２３ｃは、展示板３に当接する面する一辺（当接辺２３ｄ）と下端延長線上にある一辺とを有し、斜辺が内側に凹む直角三角形に似たような形状に形成され、当接辺の長さ寸法は、１３ｍｍ前後に設定してある。この結果、図７から明らかなように、表当て部２３ｃの下方突出寸法は、裏当て部２３ａのそれに比べ5mm前後長くなっている。表当て部２３ｃと裏当て部２３ａとの間には、幅3ｍｍ前後の下向き欠き込み２３ｅが形成されている。フック基部２３全体は、後述するように縦長スリット１１と開口部９及び上向き欠き込み９ａによって構成される空間を僅かな遊びを介して通過可能に構成されている。
【００３０】
（フック板の取付手順）
図７乃至１０を参照しながら、展示板３に対するフック板３の取付手順を説明する。まず作業者は、先端傾げ部２５ｂが上に向いた状態の細長板部２５ａを手（図示せず）に持ち、図７に示す水平に対して角度A（６０度前後）の傾きで展示板３に近づける。角度Aを維持したままフック基部２３の裏当て部２３ａをスリット１１に軽く圧入しそのまま押圧して折り起こし片７を展示板３の裏側方向（図７の右から左方向）に折り起こす。折り起こしにより開口部９が開口し（図９）、これによってスリット１１の上端部位―開口部９―上向き欠き込み９ａの三者によりスリット１１の全長より長い通過路が形成される。この通過路は僅かな遊びを介してフック基部２３が展示板３の裏側に通過することを許す。このとき、表当て部２３ｃは、展示板３の表側に居たままである。
【００３１】
裏当て部２３ａが展示板３の裏側に出たら、作業者はフック板２１をフック部２５がほぼ水平になるように先端傾げ部２５ｂ側を下げて図７の２点鎖線で示す姿勢にする（図８の矢印（１））。その後、作業者は、フック板２１全体を押し下げて（図８に示す矢印（２））、次に述べる十字相欠き継ぎを行わせる。
【００３２】
すなわち、フック板２１の押し下げにより、図８に示すように、フック板２１の下向き欠き込み２３ｅと開口部９と連通する上向き欠き込み９ａとが、互いに嵌まり込んで十字相欠き継ぎされ、さらに併せて段部２３ｂがスリット１１の上端部位に嵌まり込み支持される。これらが完了すると、同時に、表当て部２３ｃと裏当て部２３ａとにより展示板１１の表裏それぞれに表当て部２３ｃと裏当て部２３ａとが当接する。以上により、展示板３に対するフック板２１の取り付けが完了する。フック板２１の取り外しは、上記手順を逆に行うだけでよい。なお、この状態のフック部２５は、展示板３から離れるに従ってその上端稜線が水平に対し僅かに高くなっている。吊り下げた展示品Ｉが展示板3側に重力移動させるためである。これにより先端傾げ部２５ｂと相まって、展示品Ｉの落下を効果的に抑制する。
【００３３】
（実施形態特有の効果）
以上のとおり、本実施形態によれば、フック部２１のフック部２５を手に持ちフック基部２３の裏当て部２３ａを縦長スリット１１に圧入し押圧して折り起こし片７を折り起こさせ、フック基部２３を展示板３の裏板に突出させた後、押し下げて十字相欠き継ぎさせ、さらに、段部２３ｂをスリット１１の上端部位に嵌め込むだけで完成させることができる。フック板２１の保持もしっかりしており、また、厚紙製の展示板の弾性を利用した取り外しも簡単であるから、たいへん使い勝手がよい。
【符号の説明】
【００３４】
１      展示品吊り下げ具（吊り下げ具）
３      展示板
３ａ    裏板
３ｈ    紐孔
５      取付構造
７      折り起こし片
７ａ    上端辺
７ｂ    下向き突起
９      開口部
９ａ    上向き欠き込み
１１      縦長スリット
１１ａ    上端部位
２１      フック板
２３      フック基部
２３ａ    裏当て部
２３ｂ    段部
２３ｃ    表当て部
２３ｄ    当接辺
２３ｅ    下向き欠き込み
２５      フック部
２５ａ    細長板部
２５ｂ    先端傾げ部
G      展示品（商品）
Ｓ      吊り紐
【図１】
0003233522.tif 000003
【図２】
0003233522.tif 000004
【図３】
0003233522.tif 000005
【図４】
0003233522.tif 000006
【図５】
0003233522.tif 000007
【図６】
0003233522.tif 000008
【図７】
0003233522.tif 000009
【図８】
0003233522.tif 000010
【図９】
0003233522.tif 000011
【図１０】
0003233522.tif 000012